(57)【要約】  本発明の実施形態は、画像表示方法、ユーザ端末、およびビデオ受信デバイスを提供する。方法は、ミラービデオストリームのものであり、かつワイヤレスローカルエリアネットワークを使用することによってユーザ端末によって送信されたビデオウインドウ記述情報を受信することであって、ミラービデオストリームは、ユーザ端末の画面上に表示された画像のミラー画像であり、かつビデオウインドウ記述情報は、ミラービデオストリームの第１の表示ウインドウについての情報を示すのに使用される、受信することと、ビデオウインドウ記述情報により、第１の表示ウインドウのロケーションおよびサイズを決定することであって、第１の表示ウインドウは、ユーザ端末の画面上の少なくとも２つの表示ウインドウのうちの１つであり、少なくとも２つの表示ウインドウは、対応するビデオストリームを別々に表示するように構成され、かつ少なくとも２つの表示ウインドウは、少なくとも第１の表示ウインドウと、第２の表示ウインドウとを含む、決定することと、第１の表示ウインドウにおいてミラービデオストリームを表示し、かつ第２の表示ウインドウにおいて別のビデオ源からのビデオストリームを表示することであって、その別のビデオ源は、ユーザ端末とは異なる、表示することとを含む。本発明の実施形態において、ミラーリング表示サービスが、柔軟に実施されることができる。
2018503281.tif 000002
【特許請求の範囲】
【請求項１】
ミラービデオストリームのものであり、かつワイヤレスローカルエリアネットワークを使用することによってユーザ端末によって送信されたビデオウインドウ記述情報を受信することであって、前記ミラービデオストリームは、前記ユーザ端末の画面上に表示された画像のミラー画像であり、かつ前記ビデオウインドウ記述情報は、前記ミラービデオストリームの第１の表示ウインドウについての情報である、受信することと、
前記ビデオウインドウ記述情報により、前記第１の表示ウインドウのロケーションおよびサイズを決定することであって、前記第１の表示ウインドウは、前記ユーザ端末の前記画面上の少なくとも２つの表示ウインドウのうちの１つであり、前記少なくとも２つの表示ウインドウは、対応するビデオストリームを別々に表示するように構成され、かつ前記少なくとも２つの表示ウインドウは、少なくとも前記第１の表示ウインドウと、第２の表示ウインドウとを備える、決定することと、
前記第１の表示ウインドウにおいて前記ミラービデオストリームを表示し、かつ前記第２の表示ウインドウにおいて別のビデオ源からのビデオストリームを表示することであって、前記別のビデオ源は、前記ユーザ端末とは異なる、表示することと
を備えることを特徴とする画像表示方法。
【請求項２】
前記ビデオウインドウ記述情報により、前記第１の表示ウインドウのロケーションおよびサイズを前記決定することの前に、
前記ビデオウインドウ記述情報により、前記ミラービデオストリームが全画面で表示されるかどうかを決定することと、
前記ミラービデオストリームが全画面で表示されないと決定された場合、前記少なくとも２つの表示ウインドウにおいて前記対応するビデオストリームを別々に表示する機能をイネーブルにすることと
をさらに備えることを特徴とする請求項１に記載の画像表示方法。
【請求項３】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項１または２に記載の画像表示方法。
【請求項４】
ミラービデオストリームのものであり、かつワイヤレスローカルエリアネットワークを使用することによってユーザ端末によって送信されたビデオウインドウ記述情報を前記受信することは、
前記ワイヤレスローカルエリアネットワークを使用することによって前記ユーザ端末によって送信された前記ミラービデオストリームを受信することであって、前記ミラービデオストリームは、前記ビデオウインドウ記述情報を搬送する、受信すること、または
前記ミラービデオストリームに対応し、かつ前記ワイヤレスローカルエリアネットワークを使用することによって前記ユーザ端末によって送信された制御命令を受信することであって、前記制御命令は、前記ビデオウインドウ記述情報を搬送する、受信することを備えることを特徴とする請求項１乃至３のいずれか一項に記載の画像表示方法。
【請求項５】
ミラービデオストリームのビデオウインドウ記述情報を生成することであって、前記ミラービデオストリームは、ユーザ端末の画面上に表示された画像のミラー画像であり、かつ前記ビデオウインドウ記述情報は、前記ミラービデオストリームの第１の表示ウインドウについての情報を示すのに使用される、生成することと、
ワイヤレスローカルエリアネットワークを使用することによって、前記ビデオウインドウ記述情報をビデオ受信デバイスに送信して、前記ビデオ受信デバイスが、前記ビデオウインドウ記述情報により、前記第１の表示ウインドウのロケーションおよびサイズを決定するようにすることであって、前記第１の表示ウインドウは、前記ユーザ端末の前記画面上の少なくとも２つの表示ウインドウのうちの１つであり、かつ前記少なくとも２つの表示ウインドウは、対応するビデオストリームを別々に表示するように構成される、送信することと
を備えることを特徴とする画像表示方法。
【請求項６】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項５に記載の画像表示方法。
【請求項７】
ワイヤレスローカルエリアネットワークを使用することによって、前記ビデオウインドウ記述情報をビデオ受信デバイスに前記送信することは、
前記ワイヤレスローカルエリアネットワークを使用することによって、前記ミラービデオストリームを前記ビデオ受信デバイスに送信することであって、前記ミラービデオストリームは、前記ビデオウインドウ記述情報を搬送する、送信すること、または
前記ワイヤレスローカルエリアネットワークを使用することによって、前記ミラービデオストリームに対応する制御命令を前記ビデオ受信デバイスに送信することであって、前記制御命令は、前記ビデオウインドウ記述情報を搬送する、送信することを備えることを特徴とする請求項５または６に記載の画像表示方法。
【請求項８】
ミラービデオストリームのビデオウインドウ記述情報を前記生成することは、
ユーザから、前記ユーザ端末の前記画面上に表示された前記画像の操作入力を受信することと、
前記操作入力により前記ビデオウインドウ記述情報を生成することと
を備えることを特徴とする請求項５乃至７のいずれか一項に記載の画像表示方法。
【請求項９】
ミラービデオストリームのものであり、かつワイヤレスローカルエリアネットワークを使用することによってユーザ端末によって送信されたビデオウインドウ記述情報を受信するように構成された第１の受信ポートであって、前記ミラービデオストリームは、前記ユーザ端末の画面上に表示された画像のミラー画像であり、かつ前記ビデオウインドウ記述情報は、前記ミラービデオストリームの第１の表示ウインドウについての情報を示すのに使用される、第１の受信ポートと、
別のビデオ源からビデオストリームを受信するように構成された第２の受信ポートであって、前記別のビデオ源は、前記ユーザ端末とは異なる、第２の受信ポートと、
前記ビデオウインドウ記述情報により、前記第１の表示ウインドウのロケーションおよびサイズを決定するように構成された表示コントローラであって、前記第１の表示ウインドウは、前記ユーザ端末の前記画面上の少なくとも２つの表示ウインドウのうちの１つであり、前記少なくとも２つの表示ウインドウは、対応するビデオストリームを別々に表示するように構成され、かつ前記少なくとも２つの表示ウインドウは、少なくとも前記第１の表示ウインドウと、第２の表示ウインドウとを備える、表示コントローラと
を備えるビデオ受信デバイスであって、
前記表示コントローラは、前記ミラービデオストリームを表示するように前記第１の表示ウインドウを制御し、かつ前記別のビデオ源からの前記ビデオストリームを表示するように前記第２の表示ウインドウを制御するようにさらに構成されることを特徴とするビデオ受信デバイス。
【請求項１０】
前記表示コントローラは、前記ビデオウインドウ記述情報により、前記第１の表示ウインドウのロケーションおよびサイズを決定することの前に、前記ビデオウインドウ記述情報により、前記ミラービデオストリームが全画面で表示されるかどうかを決定すること、および前記ミラービデオストリームが全画面で表示されないと決定された場合、前記少なくとも２つの表示ウインドウにおいて前記対応するビデオストリームを別々に表示する機能をイネーブルにすることを行うようにさらに構成されることを特徴とする請求項９に記載のビデオ受信デバイス。
【請求項１１】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項９または１０に記載のビデオ受信デバイス。
【請求項１２】
前記第１の受信ポートは、前記ユーザ端末によって送信された前記ミラービデオストリームを受信するように特に構成され、前記ミラービデオストリームは、前記ビデオウインドウ記述情報を搬送する、または
前記第１の受信ポートは、前記ミラービデオストリームに対応し、かつ前記ユーザ端末によって送信された制御命令を受信するように特に構成され、前記制御命令は、前記ビデオウインドウ記述情報を搬送することを特徴とする請求項９乃至１１のいずれか一項に記載のビデオ受信デバイス。
【請求項１３】
ミラービデオストリームのビデオウインドウ記述情報を生成するように構成されたコントローラであって、前記ミラービデオストリームは、ユーザ端末の画面上に表示された画像のミラー画像であり、かつ前記ビデオウインドウ記述情報は、前記ミラービデオストリームの第１の表示ウインドウについての情報を示すのに使用される、コントローラと、
ワイヤレスローカルエリアネットワークを使用することによって、前記ビデオウインドウ記述情報をビデオ受信デバイスに送信して、前記ビデオ受信デバイスが、前記ビデオウインドウ記述情報により、前記第１の表示ウインドウのロケーションおよびサイズを決定するように構成された送信機であって、前記第１の表示ウインドウは、前記ユーザ端末の前記画面上の少なくとも２つの表示ウインドウのうちの１つであり、かつ前記少なくとも２つの表示ウインドウは、対応するビデオストリームを別々に表示するように構成される、送信機と
を備えることを特徴とするユーザ端末。
【請求項１４】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項１３に記載のユーザ端末。
【請求項１５】
前記送信機は、前記ミラービデオストリームを前記ビデオ受信デバイスに送信するように特に構成され、前記ミラービデオストリームは、前記ビデオウインドウ記述情報を搬送する、または
前記送信機は、前記ミラービデオストリームに対応する制御命令を前記ビデオ受信デバイスに送信するように特に構成され、前記制御命令は、前記ビデオウインドウ記述情報を搬送することを特徴とする請求項１３または１４に記載のユーザ端末。
【請求項１６】
ユーザから、前記ユーザ端末の前記画面上に表示された前記画像の操作入力を受信するように構成された入力デバイスをさらに備え、
前記コントローラは、前記操作入力により前記ビデオウインドウ記述情報を生成するように特に構成されることを特徴とする請求項１３乃至１５のいずれか一項に記載のユーザ端末。
【発明の詳細な説明】
【技術分野】
【０００１】
本発明の実施形態は、画像表示の分野に関し、より詳細には、画像表示方法、ユーザ端末、およびビデオ受信デバイスに関する。
【背景技術】
【０００２】
ワイヤレスローカルエリアネットワーク（ＷＬＡＮ、Ｗｉｒｅｌｅｓｓ  Ｌｏｃａｌ  Ａｒｅａ  Ｎｅｔｗｏｒｋ）技術の発展とともに、ＷＬＡＮデバイスは、ミラーリング表示サービスをサポートすることがある。特に、１つのＷＬＡＮデバイスの画面上に表示された画像が、別のＷＬＡＮデバイス上でミラーリング様態で表示されることがある。
【０００３】
例えば、Ｍｉｒａｃａｓｔが、ミラーリング表示サービスを提供することができる典型的な技術である。Ｍｉｒａｃａｓｔデバイスは、簡略化された発見および設定を提供して、ユーザが、デバイス間でビデオを迅速に転送することがあるようにする。例えば、ユーザは、スマートフォンによって撮影された写真を大型画面テレビ上で見ること、会議室におけるプロジェクタを使用することによってラップトップ画面をリアルタイムで共有すること、またはホームテレビセットトップボックスを使用することによって転送されるライブのショーを、タブレットコンピュータ上で見ることがある。
【０００４】
しかし、現在、ミラーリング表示サービスは、全画面ミラーリング表示モードだけしかサポートしない、すなわち、１つのＷＬＡＮデバイスの画面上に表示された画像は、別のＷＬＡＮデバイス上に全画面ミラーリング表示モードでしか表示され得ない。その結果、モードは、ユーザ要件を柔軟に満たすことができない。
【発明の概要】
【０００５】
本発明の実施形態は、ミラーリング表示サービスを柔軟に実施することができる画像表示方法、ユーザ端末、およびビデオ受信デバイスを提供する。
【０００６】
第１の態様によれば、ミラービデオストリームのものであり、かつワイヤレスローカルエリアネットワークを使用することによってユーザ端末によって送信されたビデオウインドウ記述情報を受信することであって、ミラービデオストリームは、ユーザ端末の画面上に表示された画像のミラー画像であり、かつビデオウインドウ記述情報は、ミラービデオストリームの第１の表示ウインドウについての情報を示すのに使用される、受信することと、ビデオウインドウ記述情報により、第１の表示ウインドウのロケーションおよびサイズを決定することであって、第１の表示ウインドウは、ユーザ端末の画面上の少なくとも２つの表示ウインドウのうちの１つであり、少なくとも２つの表示ウインドウは、対応するビデオストリームを別々に表示するように構成され、かつ少なくとも２つの表示ウインドウは、少なくとも第１の表示ウインドウと、第２の表示ウインドウとを含む、決定することと、第１の表示ウインドウにおいてミラービデオストリームを表示し、かつ第２の表示ウインドウにおいて別のビデオ源からのビデオストリームを表示することであって、その別のビデオ源は、ユーザ端末とは異なる、表示することとを含む画像表示方法が提供される。
【０００７】
第１の態様を参照して、第１の態様の実施様態において、ビデオウインドウ記述情報により、第１の表示ウインドウのロケーションおよびサイズを決定することの前に、画像表示方法は、ビデオウインドウ記述情報により、ミラービデオストリームが全画面で表示されるかどうかを決定すること、およびミラービデオストリームが全画面で表示されないと決定された場合、少なくとも２つの表示ウインドウにおいて対応するビデオストリームを別々に表示する機能をイネーブルにすることをさらに含む。
【０００８】
第１の態様、および前述の実施様態を参照して、第１の態様の別の実施様態において、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、第１の表示ウインドウの左上隅の座標位置を示すのに使用され、かつ水平サイズおよび垂直サイズは、第１の表示ウインドウの水平サイズおよび垂直サイズをそれぞれ示すのに使用される。
【０００９】
第１の態様、および前述の実施様態を参照して、第１の態様の別の実施様態において、ミラービデオストリームのものであり、かつワイヤレスローカルエリアネットワークを使用することによってユーザ端末によって送信されたビデオウインドウ記述情報を受信することは、ワイヤレスローカルエリアネットワークを使用することによってユーザ端末によって送信されたミラービデオストリームを受信することであって、ミラービデオストリームは、ビデオウインドウ記述情報を搬送する、受信すること、またはミラービデオストリームに対応し、かつワイヤレスローカルエリアネットワークを使用することによってユーザ端末によって送信された制御命令を受信することであって、制御命令は、ビデオウインドウ記述情報を搬送する、受信することを含む。
【００１０】
第２の態様によれば、画像表示方法が提供され、方法は、ミラービデオストリームのビデオウインドウ記述情報を生成することであって、ミラービデオストリームは、ユーザ端末の画面上に表示された画像のミラー画像であり、かつビデオウインドウ記述情報は、ミラービデオストリームの第１の表示ウインドウについての情報を示すのに使用される、生成することと、ワイヤレスローカルエリアネットワークを使用することによって、ビデオウインドウ記述情報をビデオ受信デバイスに送信することであって、それにより、ビデオ受信デバイスが、ビデオウインドウ記述情報により、第１の表示ウインドウのロケーションおよびサイズを決定するようにし、第１の表示ウインドウは、ユーザ端末の画面上の少なくとも２つの表示ウインドウのうちの１つであり、かつ少なくとも２つの表示ウインドウは、対応するビデオストリームを別々に表示するように構成される、送信することとを含む。
【００１１】
第２の態様を参照して、第２の態様の実施様態において、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、第１の表示ウインドウの左上隅の座標位置を示すのに使用され、かつ水平サイズおよび垂直サイズは、第１の表示ウインドウの水平サイズおよび垂直サイズを示すのに別々に使用される。
【００１２】
第２の態様、および前述の実施様態を参照して、第２の態様の別の実施様態において、ワイヤレスローカルエリアネットワークを使用することによって、ビデオウインドウ記述情報をビデオ受信デバイスに送信することは、ワイヤレスローカルエリアネットワークを使用することによって、ミラービデオストリームをビデオ受信デバイスに送信することであって、ミラービデオストリームは、ビデオウインドウ記述情報を搬送する、送信すること、またはワイヤレスローカルエリアネットワークを使用することによって、ミラービデオストリームに対応する制御命令をビデオ受信デバイスに送信することであって、制御命令は、ビデオウインドウ記述情報を搬送する、送信することを含む。
【００１３】
第２の態様、および前述の実施様態を参照して、第２の態様の別の実施様態において、ミラービデオストリームのビデオウインドウ記述情報を生成することは、ユーザから、ユーザ端末の画面上に表示された画像の操作入力を受信すること、および操作入力によりビデオウインドウ記述情報を生成することを含む。
【００１４】
第３の態様によれば、ミラービデオストリームのものであり、かつワイヤレスローカルエリアネットワークを使用することによってユーザ端末によって送信されたビデオウインドウ記述情報を受信するように構成された第１の受信ポートであって、ミラービデオストリームは、ユーザ端末の画面上に表示された画像のミラー画像であり、かつビデオウインドウ記述情報は、ミラービデオストリームの第１の表示ウインドウについての情報を示すのに使用される、第１の受信ポートと、別のビデオ源からビデオストリームを受信するように構成された第２の受信ポートであって、その別のビデオ源は、ユーザ端末とは異なる、第２の受信ポートと、ビデオウインドウ記述情報により、第１の表示ウインドウのロケーションおよびサイズを決定するように構成された表示コントローラであって、第１の表示ウインドウは、ユーザ端末の画面上の少なくとも２つの表示ウインドウのうちの１つであり、少なくとも２つの表示ウインドウは、対応するビデオストリームを別々に表示するように構成され、かつ少なくとも２つの表示ウインドウは、少なくとも第１の表示ウインドウと、第２の表示ウインドウとを含む、表示コントローラとを含むビデオ受信デバイスが提供され、表示コントローラは、ミラービデオストリームを表示するように第１の表示ウインドウを制御し、かつその別のビデオ源からのビデオストリームを表示するように第２の表示ウインドウを制御するようにさらに構成される。
【００１５】
第３の態様を参照して、第３の態様の実施様態において、表示コントローラは、ビデオウインドウ記述情報により、第１の表示ウインドウのロケーションおよびサイズを決定することの前に、ビデオウインドウ記述情報により、ミラービデオストリームが全画面で表示されるかどうかを決定すること、およびミラービデオストリームが全画面で表示されないと決定された場合、少なくとも２つの表示ウインドウにおいて対応するビデオストリームを別々に表示する機能をイネーブルにすることを行うようにさらに構成される。
【００１６】
第３の態様、および前述の実施様態を参照して、第３の態様の別の実施様態において、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、第１の表示ウインドウの左上隅の座標位置を示すのに使用され、かつ水平サイズおよび垂直サイズは、第１の表示ウインドウの水平サイズおよび垂直サイズをそれぞれ示すのに使用される。
【００１７】
第３の態様、および前述の実施様態を参照して、第３の態様の別の実施様態において、第１の受信ポートは、ユーザ端末によって送信されたミラービデオストリームを受信するように特に構成され、ミラービデオストリームは、ビデオウインドウ記述情報を搬送する、または第１の受信ポートは、ミラービデオストリームに対応し、かつユーザ端末によって送信された制御命令を受信するように特に構成され、制御命令は、ビデオウインドウ記述情報を搬送する。
【００１８】
第４の態様によれば、ミラービデオストリームのビデオウインドウ記述情報を生成するように構成されたコントローラであって、ミラービデオストリームは、ユーザ端末の画面上に表示された画像のミラー画像であり、かつビデオウインドウ記述情報は、ミラービデオストリームの第１の表示ウインドウについての情報を示すのに使用される、コントローラと、ワイヤレスローカルエリアネットワークを使用することによって、ビデオウインドウ記述情報をビデオ受信デバイスに送信して、ビデオ受信デバイスが、ビデオウインドウ記述情報により、第１の表示ウインドウのロケーションおよびサイズを決定するように構成された送信機であって、第１の表示ウインドウは、ユーザ端末の画面上の少なくとも２つの表示ウインドウのうちの１つであり、かつ少なくとも２つの表示ウインドウは、対応するビデオストリームを別々に表示するように構成される、送信機とを含むユーザ端末が提供される。
【００１９】
第４の態様を参照して、第４の態様の実施様態において、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、第１の表示ウインドウの左上隅の座標位置を示すのに使用され、かつ水平サイズおよび垂直サイズは、第１の表示ウインドウの水平サイズおよび垂直サイズを示すのに別々に使用される。
【００２０】
第４の態様、および前述の実施様態を参照して、第４の態様の別の実施様態において、送信機は、ミラービデオストリームをビデオ受信デバイスに送信するように特に構成され、ミラービデオストリームは、ビデオウインドウ記述情報を搬送する、または送信機は、ミラービデオストリームに対応する制御命令をビデオ受信デバイスに送信するように特に構成され、制御命令は、ビデオウインドウ記述情報を搬送する。
【００２１】
第４の態様、および前述の実施様態を参照して、第４の態様の別の実施様態において、ユーザ端末は、ユーザから、ユーザ端末の画面上に表示された画像の操作入力を受信するように構成された入力デバイスをさらに含み、かつコントローラは、操作入力によりビデオウインドウ記述情報を生成するように特に構成される。
【００２２】
本発明のこの実施形態において、マルチウインドウ表示技術とミラーリング表示技術が組み合わされ、ミラービデオストリームの表示ウインドウのロケーションおよびサイズが、ミラービデオストリームのビデオウインドウ記述情報により決定され、ミラービデオストリームと、別のビデオ源からのビデオストリームが、異なる表示ウインドウ上に別々に表示される。したがって、ミラーリング表示サービスが、柔軟に実施されることができる。
【図面の簡単な説明】
【００２３】
本発明の実施形態における技術的解決策をより明確に説明するのに、以下は、実施形態または従来技術を説明するのに要求される添付の図面を簡単に説明する。明らかに、以下の説明における添付の図面は、本発明のいくつかの実施形態を示すに過ぎず、当業者は、それでも、独創的な取組みなしにこれらの添付の図面から他の図面を導き出すことがある。
【００２４】
【図１】本発明の実施形態が適用されることがある例示的なシステムシナリオの概略図である。
【図２】本発明の実施形態による画像表示方法のフローチャートである。
【図３】本発明の別の実施形態による画像表示方法のフローチャートである。
【図４】本発明の実施形態によるミラーリング表示サービスの概略フローチャートである。
【図５】本発明の実施形態によるミラーリング表示サービスの概略フローチャートである。
【図６】本発明の実施形態によるビデオ受信デバイスのブロック図である。
【図７】本発明の実施形態によるユーザ端末のブロック図である。
【発明を実施するための形態】
【００２５】
以下は、本発明の実施形態における添付の図面を参照して、本発明の実施形態における技術的解決策を明確に、かつ完全に説明する。明らかに、説明される実施形態は、本発明の実施形態のうちのいくつかであるが、すべてというわけではない。独創的な取組みなしに本発明の実施形態に基づいて当業者によって獲得される他のすべての実施形態は、本発明の保護範囲に入るものとする。
【００２６】
図１は、本発明の実施形態が適用されることがある例示的なシステムシナリオの概略図である。
【００２７】
図１に示されるとおり、ユーザ端末１０１が、ＷＬＡＮを使用することによってビデオ受信デバイス１０２に接続される。ユーザ端末１０１は、ユーザ端末１０１の画面上に表示された画像により、ミラービデオストリームを生成することがあり、次に、ＷＬＡＮを使用することによって、ミラービデオストリームをビデオ受信デバイス１０２に送信することがある。
【００２８】
ユーザ端末１０１は、ユーザ機器（ＵＥ、Ｕｓｅｒ  Ｅｑｕｉｐｍｅｎｔ）として参照されることがあり、またはモバイル端末（Ｍｏｂｉｌｅ  Ｔｅｒｍｉｎａｌ）、モバイルユーザ機器、または類似したもの、例えば、モバイル電話、またはポータブルモバイル装置、ポケットサイズのモバイル装置、ハンドヘルドモバイル装置、もしくは車両内モバイル装置、またはコンピュータに内蔵されたモバイル装置などのモバイル端末を有するコンピュータとして参照されることがある。ユーザ端末１０１は、パーソナルコンピュータ、デスクトップコンピュータ、またはサーバデバイスなどの据え置き型のデバイスであることがある。ユーザ端末１０１は、ＷＬＡＮ技術をサポートし、例えば、ワイヤレスフィデリティ（Ｗｉ−Ｆｉ、Ｗｉｒｅｌｅｓｓ  Ｆｉｄｅｌｉｔｙ）プロトコルまたは別の類似したプロトコルをサポートし、かつユーザ端末１０１は、対応するＷＬＡＮ送信ポートを有する。
【００２９】
ビデオ受信デバイス１０２は、ディスプレイ、テレビ、セットトップボックス、ワイヤレスルータ、またはワイヤレスフォワーダなどの、ビデオストリームを受信すること、および処理することを行うように構成されたデバイスであり得る。ビデオ受信デバイス１０２は、ＷＬＡＮ技術をサポートし、例えば、ワイヤレスフィデリティ（Ｗｉ−Ｆｉ、Ｗｉｒｅｌｅｓｓ  Ｆｉｄｅｌｉｔｙ）プロトコルまたは別の類似したプロトコルをサポートし、かつビデオ受信デバイス１０２は、対応するＷＬＡＮ受信ポートを有する。ビデオ受信デバイス１０２は、別のビデオ伝送技術をさらにサポートすることがあり、例えば、ケーブルテレビ（ｃａｂｌｅ）技術、イーサネット技術、Ｂｌｕｅｔｏｏｔｈ技術、または赤外線技術をサポートすることがあり、かつビデオ受信デバイス１０２は、別のビデオ源１０３から別のビデオストリームを受信する。
【００３０】
ビデオ受信デバイス１０２は、マルチウインドウ表示機能をサポートする。マルチウインドウ表示機能は、少なくとも２つの表示ウインドウにおいて対応するビデオストリームを別々に表示するのに使用される。表示ウインドウは、互いに部分的に、または完全に重なり合うことがあり、または完全に重なり合わないことがある。典型的なマルチウインドウ表示機能が、ピクチャインピクチャ（ＰＩＰ、Ｐｉｃｔｕｒｅ  ｉｎ  ｐｉｃｔｕｒｅ）機能である。ＰＩＰ機能は、一次ピクチャと、二次ピクチャとを含む少なくとも２つのピクチャにおいて対応するビデオストリームを別々に表示するのに使用される。一般に、ピクチャインピクチャ機能は、１つの一次ピクチャ、および１または複数の二次ピクチャをサポートし、一次ピクチャは、全画面で表示され、二次ピクチャは、一次ピクチャ未満であり、かつ表示するために一次ピクチャと重なり合う。したがって、ユーザは、１つの画面上で複数のプログラムを表示することがあり、すなわち、通常に見られる一次ピクチャに１または複数の圧縮された二次ピクチャを挿入して、一次ピクチャを享受しながら、別のチャネルを監視するようにすることがある。
【００３１】
しかし、本発明のこの実施形態は、表示ウインドウ間のロケーション関係またはサイズ関係に全く限定を課さない。例えば、本発明のこの実施形態において、マルチウインドウ表示機能は、「２ウインドウ」または「マルチウインドウ」表示モードをサポートすることもし、例えば、２つの表示ウインドウは、基本的に同一のサイズのものであり、かつ画面上のそれらのロケーションは、互いに重なり合わない。
【００３２】
図２は、本発明の実施形態による画像表示方法のフローチャートである。図２における方法は、ビデオ受信デバイスによって実行される（例えば、図１におけるビデオ受信デバイス１０２）。
【００３３】
２０１  ミラービデオストリームのものであり、かつＷＬＡＮを使用することによってユーザ端末（例えば、図１におけるユーザ端末１０１）によって送信されたビデオウインドウ記述情報を受信し、ミラービデオストリームは、ユーザ端末の画面上に表示された画像のミラー画像であり、かつビデオウインドウ記述情報は、ミラービデオストリームの第１の表示ウインドウについての情報を示すのに使用される。
【００３４】
２０２  ビデオウインドウ記述情報により、第１の表示ウインドウのロケーションおよびサイズを決定し、第１の表示ウインドウは、ユーザ端末の画面上の少なくとも２つの表示ウインドウのうちの１つであり、少なくとも２つの表示ウインドウは、対応するビデオストリームを別々に表示するように構成され、かつ少なくとも２つの表示ウインドウは、少なくとも第１の表示ウインドウと、第２の表示ウインドウとを含む。
【００３５】
２０３  第１の表示ウインドウにおいてミラービデオストリームを表示し、かつ第２の表示ウインドウにおいて別のビデオ源からのビデオストリームを表示し、その別のビデオ源は、前述のユーザ端末とは異なる。
【００３６】
本発明のこの実施形態において、マルチウインドウ表示技術とミラーリング表示技術が組み合わされ、ミラービデオストリームの表示ウインドウのロケーションおよびサイズが、ミラービデオストリームのビデオウインドウ記述情報により決定され、ミラービデオストリームと、別のビデオ源からのビデオストリームが、異なる表示ウインドウ上に別々に表示される。したがって、ミラーリング表示サービスが、柔軟に実施されることができる。
【００３７】
すなわち、本発明のこの実施形態において、ミラービデオストリームは、マルチウインドウ表示サービスのための１つのビデオ源として使用されて、新たなマルチウインドウ表示サービスを実施するようにすることがある。
【００３８】
さらに、従来のピクチャインピクチャ機能において、一次ピクチャと二次ピクチャの間の相対関係（ロケーション関係およびサイズ関係などの）は固定であり、外部デバイスによって制御され得ない。二次ピクチャがミラービデオストリームの表示ウインドウとして使用される場合、本発明のこの実施形態におけるユーザ端末は、ビデオウインドウ記述情報により二次ピクチャのロケーションおよびサイズを制御して、その結果、ミラーリングビデオサービスのパフォーマンスを高めること、およびユーザ体験を向上させることができる。
【００３９】
任意選択で、実施形態として、ユーザ端末は、ＷＬＡＮを使用することによってビデオ受信デバイスに接続され、すなわち、ビデオ受信デバイスは、ＷＬＡＮを使用することによって、ユーザ機器からミラービデオストリームおよびビデオウインドウ記述情報を受信することがある。しかし、本発明のこの実施形態は、前述の別のビデオ源の形態に全く限定を課さず、例えば、その別のビデオ源は、ケーブルテレビ（ｃａｂｌｅ）、衛星、ブロードキャストテレビ、ＷＬＡＮ、Ｂｌｕｅｔｏｏｔｈ（登録商標）、または赤外線であることがある。
【００４０】
任意選択で、別の実施形態として、ビデオウインドウ記述情報は、ミラービデオストリームの一部分であることがあり、またはミラービデオストリームとは別個であり、かつ独立に送信されることがある。特に、ステップ２０１において、ビデオ受信デバイスは、ユーザ端末によって送信されたミラービデオストリームを受信することがあり、ミラービデオストリームは、ビデオウインドウ記述情報を搬送する。あるいは、ビデオ受信デバイスは、ミラービデオストリームに対応し、かつユーザ端末によって送信された制御命令を受信することがあり、制御命令は、ビデオウインドウ記述情報を搬送する。
【００４１】
任意選択で、別の実施形態として、ビデオウインドウ記述情報は、以下のパラメータ、すなわち、水平オフセット（ｈｏｒｉｚｏｎｔａｌ  ｏｆｆｓｅｔ）、垂直オフセット（ｖｅｒｔｉｃａｌ  ｏｆｆｓｅｔ）、水平サイズ（ｈｏｒｉｚｏｎｔａｌ  ｓｉｚｅ）、または垂直サイズ（ｖｅｒｔｉｃａｌ  ｓｉｚｅ）のうちの少なくとも１つを含むことがある。水平オフセットおよび垂直オフセットは、画面上にあり、かつミラービデオストリームの表示ウインドウの左上隅のものである座標位置を示すのに使用され、かつ水平サイズおよび垂直サイズは、ミラービデオストリームの表示ウインドウの水平サイズおよび垂直サイズをそれぞれ示すのに使用される。
【００４２】
しかし、本発明のこの実施形態は、ビデオウインドウ記述情報の特定のコンテンツに全く限定を課さない。例えば、水平オフセットおよび垂直オフセットは、画面上にあり、かつミラービデオストリームの表示ウインドウの別の参照ポイント（右上隅、左下隅、右下隅、または中央ポイントなどの）のものである座標位置を示すのに使用されることもある。別の例に関して、水平オフセットは、画面の左端に対する距離であることがあり、または画面の右端に対する距離であることがあり、垂直オフセットは、画面の上端に対する距離であることがあり、または画面の下端に対する距離であることがある。別の例に関して、水平サイズは、画面の水平サイズ（または別の表示ウインドウの水平サイズ、例えば、前述の第１の表示ウインドウの水平サイズ）に対する長さ値、ピクセルの量、またはパーセンテージとして示されることがあり、垂直サイズは、画面垂直サイズ（または別の表示ウインドウの水平サイズ、例えば、前述の第１の表示ウインドウの垂直サイズ）に対する長さ値、ピクセルの量、またはパーセンテージとして示されることがある。
【００４３】
ビデオウインドウ記述情報は、水平オフセット、垂直オフセット、水平サイズ、および垂直サイズの４つすべてを必ずしも含むわけではない。例えば、ビデオウインドウ記述情報は、水平オフセットおよび垂直オフセットだけを含むことがある。この事例において、ミラービデオストリームの表示ウインドウのサイズは、デフォルト値または固定値であり得る。別の例に関して、ユーザが、ユーザ端末を使用することによって、ミラー画像のロケーションだけを調整する（例えば、ユーザが、ユーザ端末の画面を指でタッチアンドホールドし、次に、ミラー画像のロケーションを調整するようにミラービデオストリームの表示ウインドウの範囲内で単にドラッグする）場合、ビデオウインドウ記述情報は、水平オフセットおよび垂直オフセットだけを含むことがあるが、水平サイズも垂直サイズも含まないことがある。したがって、ミラービデオストリームの表示ウインドウを調整する際、ビデオ受信デバイスは、表示ウインドウのサイズを変更することなしに、表示ウインドウのロケーションだけを調整する。別の例に関して、ユーザが、ユーザ端末を使用することによって、ミラー画像のサイズだけを調整する（例えば、ユーザが、ミラー画像のサイズを調整するようにミラービデオストリームの表示ウインドウの範囲内で２本の指で画像をピンチアンドストレッチする）場合、ビデオウインドウ記述情報は、水平サイズおよび垂直サイズだけを含むことがあるが、水平オフセットも垂直オフセットも含まないことがある。したがって、二次ピクチャを調整する際、ビデオ受信デバイスは、ミラービデオストリームの表示ウインドウのサイズだけを調整し、ミラービデオストリームの表示ウインドウのロケーションを変更されないままに保ち、例えば、ミラービデオストリームの表示ウインドウの中央ポイント（または別の参照ポイント）を変更されないままに保つ。
【００４４】
任意選択で、別の実施形態として、ビデオウインドウ記述情報は、層パラメータ、回転の角度パラメータ、アスペクト比パラメータ、透明度パラメータ、コントラスト比パラメータ、輝度パラメータ、フレーム周波数パラメータ、または走査モードなどの別のパラメータを含むことがある。ピクチャインピクチャ機能における二次ピクチャがミラービデオストリームの表示ウインドウとして使用される事例が、例として使用される。例えば、複数の二次ピクチャが存在し、複数の二次ピクチャが互いに重なり合うことがある場合、特定の二次ピクチャの層パラメータが、特定の二次ピクチャが別の二次ピクチャによって重なり合うようにされることがあること、または別の二次ピクチャに重なり合うことがあることを示すのに使用される。二次ピクチャの回転の角度パラメータは、ユーザ端末の画面上に表示された画像と二次ピクチャにおいて表示されたミラー画像の間の回転の角度関係を示すことがあり、例えば、ユーザ端末上に表示された画像が、ミラー画像に対して９０度の回転の角度を有することがあり、またはユーザが、ユーザ機器を回転させることによってミラー画像の回転の角度を調整することがある。アスペクト比パラメータ、透明度パラメータ、コントラスト比パラメータ、および輝度パラメータは、二次ピクチャのアスペクト比、透明度、コントラスト比、および輝度をそれぞれ示す。
【００４５】
特定の実施様態として、ビデオウインドウ記述情報は、Ｍｉｒａｃａｓｔプロトコルにおけるビデオウインドウディスクリプタ（Ｖｉｄｅｏ  Ｗｉｎｄｏｗ  Ｄｅｓｃｒｉｐｔｏｒ）を使用することがある。ビデオウインドウディスクリプタの例は、ビデオウインドウディスクリプタを識別するのに使用される８ビットｄｅｓｃｒｉｐｔｏｒ＿ｔａｇ、ビデオウインドウディスクリプタの長さを示すのに使用される８ビットｄｅｓｃｒｉｐｔｏｒ＿ｌｅｎｇｔｈ、ミラー画像の左上隅の水平オフセットを示すのに使用される１４ビットｈｏｒｉｚｏｎｔａｌ＿ｏｆｆｓｅｔ、ミラー画像の左上隅の垂直オフセットを示すのに使用される１４ビットｖｅｒｔｉｃａｌ＿ｏｆｆｓｅｔ、およびミラー画像の層優先度を示すのに使用され、最高の優先度は、最上の層に常に配置されていることを示す４ビットｗｉｎｄｏｗ＿ｐｒｉｏｒｉｔｙを含むことがある。ビデオウインドウディスクリプタの別の例は、水平サイズおよび垂直サイズを（例えば、６４０×４８０もしくは１２８０×７２０のような解像度の形態で）さらに含むことがあり、あるいは、またはさらに、ビデオウインドウディスクリプタの別の例は、アスペクト比、フレーム周波数、または走査モード（例えば、ｉが、インターレースされた走査を示し、ｐが、順次走査を示す）などの別のパラメータをさらに含むことがある。前述のパラメータは、限定的であるよりはむしろ、例示的であるに過ぎない。本発明のこの実施形態において、ビデオウインドウ記述情報は、Ｍｉｒａｃａｓｔプロトコルにおける既存のビデオウインドウディスクリプタであることがあり、または既存のビデオウインドウディスクリプタを拡張することによって獲得されることがある。当業者は、要件により、適切なパラメータ形態を容易に設計することがあり、すべての変形が、本発明の保護範囲に入るものとする。
【００４６】
任意選択で、別の実施形態として、ステップ２０２の前に、ビデオ受信デバイスは、ビデオウインドウ記述情報により、ミラービデオストリームが全画面で表示されるかどうかをさらに決定することがあり、ミラービデオストリームが全画面で表示されないと決定された場合、少なくとも２つの表示ウインドウにおいて対応するビデオストリームを別々に表示する機能をイネーブルにすること、例えば、ピクチャインピクチャ機能をイネーブルにすることがある。例えば、ビデオウインドウ記述情報が、ミラービデオストリームの表示ウインドウの左上隅がミラービデオストリームの表示画面の左上隅の上に位置付けられていない（例えば、前述の水平オフセットまたは垂直オフセットが０ではない）ことを示す場合、ミラービデオストリームは、全画面で表示されないと決定され得る。
【００４７】
あるいは、ビデオウインドウ記述情報が、ミラービデオストリームの表示ウインドウのサイズが画面のサイズ未満である（例えば、ビデオウインドウ記述情報に含まれる水平サイズが端末画面の水平サイズ未満である）ことを示す場合、ミラービデオストリームは、全画面で表示されないと決定され得る。本発明のこの実施形態は、ミラービデオストリームが全画面で表示されないと決定するための特定の標準に全く限定を課さず、特定の標準は、ビデオウインドウ記述情報に含まれるパラメータにより設計されることがある。例えば、ビデオウインドウ記述情報に含まれるアスペクト比が端末画面のアスペクト比と不整合である場合、ミラービデオストリームは、全画面で表示されないと決定され得る。別の例に関して、ビデオウインドウ記述情報は、ミラービデオストリームが全画面で表示されるかどうかを示す特定のパラメータ（例えば、特定のビット「１」または「０」）を含むことがある。
【００４８】
任意選択で、ミラービデオストリームが全画面で表示されると決定された場合、マルチウインドウ表示機能（例えば、ピクチャインピクチャ機能）がディセーブルにされる、または終了されることがあり、ミラービデオストリームだけが表示される。
【００４９】
したがって、本発明のこの実施形態において、ミラーリング表示サービスが柔軟に実施されることができ、かつユーザ体験が向上させられる。
【００５０】
さらに、ミラーリング表示サービスがイネーブルにされた後、ユーザ端末の画面上の画像表示が停止されて、省電力化の効果を実現するようにすることがある。確かに、ユーザ端末の画面は、ミラービデオストリームと同一の画像を表示することを継続することもあり、またはユーザ体験を向上させるのに役に立ちもする、ユーザにリマインドするための「ミラーリング表示サービスがイネーブルにされている」というメッセージ、もしくは制御メニュー、もしくは別のタイプの補助情報などの別の画像を表示することもある。
【００５１】
図３は、本発明の別の実施形態による画像表示方法のフローチャートである。図３の方法は、ユーザ端末（例えば、図１のユーザ端末１０１）によって実行される。
【００５２】
３０１  ミラービデオストリームのビデオウインドウ記述情報を生成し、ミラービデオストリームは、ユーザ端末の画面上に表示された画像のミラー画像であり、かつビデオウインドウ記述情報は、ミラービデオストリームの第１の表示ウインドウについての情報を示すのに使用される。
【００５３】
３０２  ＷＬＡＮを使用することによって、ビデオウインドウ記述情報をビデオ受信デバイスに送信して、ビデオ受信デバイスが、ビデオウインドウ記述情報により、第１の表示ウインドウのロケーションおよびサイズを決定するようにし、第１の表示ウインドウは、ユーザ端末の画面上の少なくとも２つの表示ウインドウのうちの１つであり、かつ少なくとも２つの表示ウインドウは、対応するビデオストリームを別々に表示するように構成される。
【００５４】
本発明のこの実施形態において、マルチウインドウ表示技術とミラーリング表示技術が組み合わされ、ミラービデオストリームの表示ウインドウのロケーションおよびサイズが、ミラービデオストリームのビデオウインドウ記述情報により決定され、ミラービデオストリームと、別のビデオ源からのビデオストリームが、異なる表示ウインドウ上に別々に表示される。したがって、ミラーリング表示サービスが、柔軟に実施されることができる。
【００５５】
すなわち、本発明のこの実施形態において、ミラービデオストリームは、マルチウインドウ表示サービスのための１つのビデオ源として使用されて、新たなマルチウインドウ表示サービスを実施するようにすることがある。
【００５６】
さらに、従来のピクチャインピクチャ機能において、一次ピクチャと二次ピクチャの間の相対関係（ロケーション関係およびサイズ関係などの）は固定であり、外部デバイスによって制御され得ない。二次ピクチャがミラービデオストリームの表示ウインドウとして使用される場合、本発明のこの実施形態におけるユーザ端末は、ビデオウインドウ記述情報により二次ピクチャのロケーションおよびサイズを制御して、その結果、ミラーリングビデオサービスのパフォーマンスを高めること、およびユーザ体験を向上させることができる。
【００５７】
任意選択で、実施形態として、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、画面上にあり、かつミラービデオストリームの表示ウインドウの左上隅のものである座標位置を示すのに使用され、かつ水平サイズおよび垂直サイズは、ミラービデオストリームの表示ウインドウの水平サイズおよび垂直サイズをそれぞれ示すのに使用される。
【００５８】
しかし、本発明のこの実施形態は、ビデオウインドウ記述情報の特定のコンテンツに全く限定を課さない。例えば、水平オフセットおよび垂直オフセットは、画面上にあり、かつミラービデオストリームの表示ウインドウの別の参照ポイント（右上隅、左下隅、右下隅、または中央ポイントなどの）のものである座標位置を示すのに使用されることもある。別の例に関して、水平オフセットは、画面の左端に対する距離であることがあり、または画面の右端に対する距離であることがあり、垂直オフセットは、画面の上端に対する距離であることがあり、または画面の下端に対する距離であることがある。別の例に関して、水平サイズは、画面の水平サイズ（または別の表示ウインドウの水平サイズ、例えば、前述の第１の表示ウインドウの水平サイズ）に対する長さ値、ピクセルの量、またはパーセンテージとして示されることがあり、垂直サイズは、画面垂直サイズ（または別の表示ウインドウの水平サイズ、例えば、前述の第１の表示ウインドウの垂直サイズ）に対する長さ値、ピクセルの量、またはパーセンテージとして示されることがある。
【００５９】
本発明のこの実施形態において、「水平」および「垂直」のような方向を示す用語は、地面のような別の参照物体に対してというよりはむしろ、画面に対してである、または画面が位置付けられた座標系に対してであることに留意されたい。一般に、画面の表示可能領域内の左上隅は、前述の座標系の座標の原点として使用され、水平方向は、ｘ軸として使用され、かつ垂直方向は、ｙ軸として使用される。しかし、本発明のこの実施形態は、座標系の特定の形態に全く限定を課さない。
【００６０】
ビデオウインドウ記述情報は、水平オフセット、垂直オフセット、水平サイズ、および垂直サイズの４つすべてを必ずしも含むわけではない。例えば、ビデオウインドウ記述情報は、水平オフセットおよび垂直オフセットだけを含むことがある。この事例において、ミラービデオストリームの表示ウインドウのサイズは、デフォルト値または固定値であり得る。別の例に関して、ユーザが、ユーザ端末を使用することによって、ミラー画像のロケーションだけを調整する（例えば、ユーザが、ユーザ端末の画面を指でタッチアンドホールドし、次に、ミラー画像のロケーションを調整するようにミラービデオストリームの表示ウインドウの範囲内で単にドラッグする）場合、ビデオウインドウ記述情報は、水平オフセットおよび垂直オフセットだけを含むことがあるが、水平サイズも垂直サイズも含まないことがある。したがって、ミラービデオストリームの表示ウインドウを調整する際、ビデオ受信デバイスは、表示ウインドウのサイズを変更することなしに、表示ウインドウのロケーションだけを調整する。別の例に関して、ユーザが、ユーザ端末を使用することによって、ミラー画像のサイズだけを調整する（例えば、ユーザが、ミラー画像のサイズを調整するようにミラービデオストリームの表示ウインドウの範囲内で２本の指で画像をピンチアンドストレッチする）場合、ビデオウインドウ記述情報は、水平サイズおよび垂直サイズだけを含むことがあるが、水平オフセットも垂直オフセットも含まないことがある。したがって、二次ピクチャを調整する際、ビデオ受信デバイスは、ミラービデオストリームの表示ウインドウのサイズだけを調整し、ミラービデオストリームの表示ウインドウのロケーションを変更されないままに保ち、例えば、ミラービデオストリームの表示ウインドウの中央ポイント（または別の参照ポイント）を変更されないままに保つ。
【００６１】
任意選択で、別の実施形態として、ビデオウインドウ記述情報は、層パラメータ、回転の角度パラメータ、アスペクト比パラメータ、透明度パラメータ、コントラスト比パラメータ、または輝度パラメータなどの別のパラメータを含むことがある。ピクチャインピクチャ機能における二次ピクチャがミラービデオストリームの表示ウインドウとして使用される事例が、例として使用される。例えば、複数の二次ピクチャが存在し、複数の二次ピクチャが互いに重なり合うことがある場合、特定の二次ピクチャの層パラメータが、特定の二次ピクチャが別の二次ピクチャによって重なり合うようにされることがあること、または別の二次ピクチャに重なり合うことがあることを示すのに使用される。二次ピクチャの回転の角度パラメータは、ユーザ端末の画面上に表示された画像と二次ピクチャにおいて表示されたミラー画像の間の回転の角度関係を示すことがあり、例えば、ユーザ端末上に表示された画像が、ミラー画像に対して９０度の回転の角度を有することがあり、またはユーザが、ユーザ機器を回転させることによってミラー画像の回転の角度を調整することがある。アスペクト比パラメータ、透明度パラメータ、コントラスト比パラメータ、および輝度パラメータは、二次ピクチャのアスペクト比、透明度、コントラスト比、および輝度をそれぞれ示す。
【００６２】
特定の実施様態として、ビデオウインドウ記述情報は、Ｍｉｒａｃａｓｔプロトコルにおけるビデオウインドウディスクリプタ（Ｖｉｄｅｏ  Ｗｉｎｄｏｗ  Ｄｅｓｃｒｉｐｔｏｒ）を使用することがある。ビデオウインドウディスクリプタの例は、ビデオウインドウディスクリプタを識別するのに使用される８ビットｄｅｓｃｒｉｐｔｏｒ＿ｔａｇ、ビデオウインドウディスクリプタの長さを示すのに使用される８ビットｄｅｓｃｒｉｐｔｏｒ＿ｌｅｎｇｔｈ、ミラー画像の左上隅の水平オフセットを示すのに使用される１４ビットｈｏｒｉｚｏｎｔａｌ＿ｏｆｆｓｅｔ、ミラー画像の左上隅の垂直オフセットを示すのに使用される１４ビットｖｅｒｔｉｃａｌ＿ｏｆｆｓｅｔ、およびミラー画像の層優先度を示すのに使用され、最高の優先度は、最上の層に常に配置されていることを示す４ビットｗｉｎｄｏｗ＿ｐｒｉｏｒｉｔｙを含むことがある。ビデオウインドウディスクリプタの別の例は、水平サイズおよび垂直サイズを（例えば、６４０×４８０もしくは１２８０×７２０のような解像度の形態で）さらに含むことがあり、あるいは、またはさらに、ビデオウインドウディスクリプタの別の例は、アスペクト比、フレーム周波数、または走査モード（例えば、ｉが、インターレースされた走査を示し、ｐが、順次走査を示す）などの別のパラメータをさらに含むことがある。前述のパラメータは、限定的であるよりはむしろ、例示的であるに過ぎない。本発明のこの実施形態において、ビデオウインドウ記述情報は、Ｍｉｒａｃａｓｔプロトコルにおける既存のビデオウインドウディスクリプタであることがあり、または既存のビデオウインドウディスクリプタを拡張することによって獲得されることがある。当業者は、要件により、適切なパラメータ形態を容易に設計することがあり、すべての変形が、本発明の保護範囲に入るものとする。
【００６３】
任意選択で、別の実施形態として、ビデオウインドウ記述情報は、ミラービデオストリームの一部分であることがあり、またはミラービデオストリームとは別個であることがあり、かつ独立に送信されることがある。特に、ステップ３０２において、ユーザ端末は、ミラービデオストリームをビデオ受信デバイスに送信することがあり、ミラービデオストリームは、ビデオウインドウ記述情報を搬送し、または、ユーザ端末は、ミラービデオストリームに対応する制御命令をビデオ受信デバイスに送信することがあり、制御命令は、ビデオウインドウ記述情報を搬送する。
【００６４】
任意選択で、別の実施形態として、ユーザ端末は、ＷＬＡＮを使用することによってビデオ受信デバイスに接続され、すなわち、ビデオ受信デバイスは、ＷＬＡＮを使用することによってユーザ端末からミラービデオストリームおよびビデオウインドウ記述情報を受信することがある。
【００６５】
任意選択で、別の実施形態として、ステップ３０１において、ユーザ端末は、ユーザ端末のユーザから画面上に表示された画像の操作入力を受信し、かつ操作入力によりビデオウインドウ記述情報を生成することがある。本発明のこの実施形態は、ユーザからの操作入力の形態に全く限定を課さない。例えば、ユーザは、タッチ入力を実行することがあり、例えば、ユーザからのドラッグする操作が、ミラービデオストリームの表示ウインドウのロケーションを調整することを示し、ユーザからのピンチアンドストレッチする操作が、ミラービデオストリームの表示ウインドウのサイズを調整することを示し、ユーザからのタップする操作が、マルチウインドウ表示機能をイネーブルにすること、またはディセーブルにすることを示す。別の例に関して、ユーザは、メニュー入力操作を実行することがあり、ユーザ端末は、ユーザに、ユーザが二次ピクチャのロケーション、サイズ、または別の表示パラメータを調整するように提供されるマルチレベルメニューを提示する。
【００６６】
さらに、ミラーリング表示サービスがイネーブルにされた後、ユーザ端末の画面上の画像表示が停止されて、省電力化の効果を実現するようにすることがある。確かに、ユーザ端末の画面は、ミラービデオストリームと同一の画像を表示することを継続することもあり、またはユーザ体験を向上させるのに役に立ちもする、ユーザにリマインドするための「ミラーリング表示サービスがイネーブルにされている」というメッセージ、もしくは制御メニュー、もしくは別のタイプの補助情報などの別の画像を表示することもある。
【００６７】
ユーザからの操作入力は、ミラーリング表示サービスがイネーブルにされる前に、もしくはミラーリング表示サービスの初期化プロセスにおいて実行されることがあり、またはミラーリング表示サービスがイネーブルにされた後に実行されることもある。以下は、本発明の特定の実施形態を、特定の例を参照してより詳細に説明する。
【００６８】
図４は、本発明の実施形態によるミラーリング表示サービスの概略フローチャートである。図４に示される実施形態において、ビデオ受信デバイスは、テレビであり、マルチウインドウ表示サービスは、ピクチャインピクチャサービスである。ピクチャインピクチャサービスは、一次ピクチャと、二次ピクチャとを含み、一次ピクチャのビデオ源は、ケーブルテレビ信号であり、二次ピクチャのビデオ源は、ユーザ端末のミラービデオストリームである。
【００６９】
４０１  ユーザ端末のミラーリング表示サービスがイネーブルにされる。
【００７０】
例えば、ユーザが、ユーザ端末上で特定のアプリケーション（Ａｐｐ）をタップして、ミラーリング表示サービスをイネーブルにすることがある。
【００７１】
４０２  ユーザ端末が、ユーザから操作入力を受信する。
【００７２】
例えば、ユーザが、タッチ入力またはメニュー入力を使用することによって二次ピクチャのロケーションおよびサイズを指定すること、または変更することがある。ステップ４０２は、任意選択のステップであり、例えば、二次ピクチャの初期ロケーションおよび初期サイズは、デフォルト値であることがあり、またはミラーリング表示サービスが前回に実行された際に設定された値であることがある。
【００７３】
４０３  ユーザ端末が、ユーザからの操作入力により（ステップ４０２が実行される場合）、または設定された値により（ステップ４０２が実行されない場合）、対応するビデオウインドウ記述情報を生成する。
【００７４】
４０４  ユーザ端末が、ＷＬＡＮを使用することによってミラービデオストリームおよびビデオウインドウ記述情報をテレビに送信する。
【００７５】
４０５  テレビが、ケーブルテレビ信号を受信する。
【００７６】
４０６  テレビが、ビデオウインドウ記述情報により、ミラービデオストリームが全画面で表示されないと決定し、ピクチャインピクチャ機能がイネーブルにされる。
【００７７】
４０７  テレビが、ビデオウインドウ記述情報により、二次ピクチャのロケーションおよびサイズを決定する。
【００７８】
４０８  テレビが、一次ピクチャにおいてケーブルテレビビデオストリームを表示し、かつ二次ピクチャにおいてユーザ端末のミラービデオストリームを表示する。
【００７９】
したがって、本発明のこの実施形態において、ミラーリング表示サービスが柔軟に実施されることができ、かつユーザ体験が向上させられる。
【００８０】
図５は、本発明の実施形態によるミラーリング表示サービスの概略フローチャートである。図５に示される実施形態において、ビデオ受信デバイスは、テレビであり、マルチウインドウ表示サービスは、ピクチャインピクチャサービスである。ピクチャインピクチャサービスは、一次ピクチャと、二次ピクチャとを含み、一次ピクチャのビデオ源は、ケーブルテレビ信号であり、二次ピクチャのビデオ源は、ユーザ端末のミラービデオストリームである。
【００８１】
５０１  ユーザ端末のミラーリング表示サービスがイネーブルにされる。
【００８２】
例えば、ユーザが、ユーザ端末上で特定のアプリケーション（Ａｐｐ）をタップして、ミラーリング表示サービスをイネーブルにすることがある。
【００８３】
５０２  ユーザ端末が、ＷＬＡＮを使用することによってミラービデオストリームをテレビに送信する。
【００８４】
５０３  テレビが、ケーブルテレビ信号を受信する。
【００８５】
５０４  テレビが、ミラービデオストリームを全画面で表示するが、ケーブルテレビビデオストリームは表示しない。
【００８６】
５０５  ユーザ端末が、ユーザから操作入力を受信する。
【００８７】
例えば、ユーザが、タッチ入力またはメニュー入力を使用することによって、ミラービデオストリームを全画面で表示しないことを決定し、かつ二次ピクチャのロケーションおよびサイズを指定すること、または変更することがある。
【００８８】
５０６  ユーザ端末が、ユーザからの操作入力により、対応するビデオウインドウ記述情報を生成する。
【００８９】
５０７  ユーザ端末が、ＷＬＡＮを使用することによってビデオウインドウ記述情報をテレビに送信する。
【００９０】
５０８  テレビが、ビデオウインドウ記述情報により、ミラービデオストリームが全画面で表示されないと決定し、かつピクチャインピクチャ機能をイネーブルにする。
【００９１】
５０９  テレビが、ビデオウインドウ記述情報により、二次ピクチャのロケーションおよびサイズを決定する。
【００９２】
５１０  テレビが、一次ピクチャにおいてケーブルテレビビデオストリームを表示し、かつ二次ピクチャにおいてユーザ端末のミラービデオストリームを表示する。
【００９３】
したがって、本発明のこの実施形態において、ミラーリング表示サービスが柔軟に実施されることができ、かつユーザ体験が向上させられる。
【００９４】
図６は、本発明の実施形態によるビデオ受信デバイスのブロック図である。図６におけるビデオ受信デバイス６０の例が、図１におけるビデオ受信デバイス１０２である。図６に示されるとおり、ビデオ受信デバイス６０は、第１の受信ポート６１と、第２の受信ポート６２と、表示コントローラ６３とを含む。
【００９５】
第１の受信ポート６１は、ミラービデオストリームのものであり、かつＷＬＡＮを使用することによってユーザ端末によって送信されたビデオウインドウ記述情報を受信するように構成される。ミラービデオストリームは、ユーザ端末の画面上に表示された画像のミラー画像であり、かつビデオウインドウ記述情報は、ミラービデオストリームの第１の表示ウインドウについての情報を示すのに使用される。
【００９６】
第２の受信ポート６２は、別のビデオ源からビデオストリームを受信するように構成され、その別のビデオ源は、ユーザ端末とは異なる。
【００９７】
表示コントローラ６３は、ビデオウインドウ記述情報により、第１の表示ウインドウのロケーションおよびサイズを決定するように構成され、第１の表示ウインドウは、ユーザ端末の画面上の少なくとも２つの表示ウインドウのうちの１つであり、少なくとも２つの表示ウインドウは、対応するビデオストリームを別々に表示するように構成され、かつ少なくとも２つの表示ウインドウは、少なくとも第１の表示ウインドウと、第２の表示ウインドウとを含む。
【００９８】
表示コントローラ６３は、ミラービデオストリームを表示するように第１の表示ウインドウを制御し、かつその別のビデオ源からのビデオストリームを表示するように第２の表示ウインドウを制御するようにさらに構成される。
【００９９】
本発明のこの実施形態において、マルチウインドウ表示技術とミラーリング表示技術が組み合わされ、ミラービデオストリームの表示ウインドウのロケーションおよびサイズが、ミラービデオストリームのビデオウインドウ記述情報により決定され、ミラービデオストリームと、別のビデオ源からのビデオストリームが、異なる表示ウインドウ上に別々に表示される。したがって、ミラーリング表示サービスが、柔軟に実施されることができる。
【０１００】
すなわち、本発明のこの実施形態において、ミラービデオストリームは、マルチウインドウ表示サービスのための１つのビデオ源として使用されて、新たなマルチウインドウ表示サービスを実施するようにすることがある。
【０１０１】
さらに、従来のピクチャインピクチャ機能において、一次ピクチャと二次ピクチャの間の相対関係（ロケーション関係およびサイズ関係などの）は固定であり、外部デバイスによって制御され得ない。二次ピクチャがミラービデオストリームの表示ウインドウとして使用される場合、本発明のこの実施形態におけるユーザ端末は、ビデオウインドウ記述情報により二次ピクチャのロケーションおよびサイズを制御して、その結果、ミラーリングビデオサービスのパフォーマンスを高めること、およびユーザ体験を向上させることができる。
【０１０２】
図６におけるビデオ受信デバイス６０は、図１から図５に示される実施形態におけるビデオ受信デバイスと関係する様々な操作または機能を実施することがあり、繰り返しを回避するために、詳細はここで説明されない。
【０１０３】
任意選択で、実施形態として、第１の受信ポート６１は、ＷＬＡＮポート、例えば、Ｗｉ−Ｆｉプロトコルをサポートするワイヤレス受信機であることがある。第１の受信ポート６１は、第１の受信ポート６１とユーザ端末の間で確立されたＷＬＡＮを使用することによってワイヤレスデータ／シグナリングを送信し、例えば、第１の受信ポート６１は、ユーザ端末からミラービデオストリームおよびビデオウインドウ記述情報を受信する。
【０１０４】
第２の受信ポート６２は、別のタイプのビデオ伝送ポートであることがあり、例えば、有線ケーブルテレビポートもしくはイーサネットポートであることがあり、またはワイヤレスＢｌｕｅｔｏｏｔｈポートもしくはワイヤレス赤外線ポートであることがある。第２の受信ポート６２は、別のビデオ源からビデオストリームを受信する。
【０１０５】
表示コントローラ６３は、中央処理装置（ＣＰＵ、Ｃｅｎｔｒａｌ  Ｐｒｏｃｅｓｓｉｎｇ  Ｕｎｉｔ）またはグラフィック処理装置（ＧＰＵ、Ｇｒａｐｈｉｃ  Ｐｒｏｃｅｓｓｉｎｇ  Ｕｎｉｔ）などのプロセッサまたは処理チップによって実施されることがある。第１の受信ポート６１および第２の受信ポート６２によって受信されるビデオストリームは、マルチウインドウ表示機能の複数の入力として使用されて、異なるビデオストリームを表示するように異なる表示ウインドウを制御するようにする。
【０１０６】
ビデオ受信デバイス６０は、ディスプレイを含むことがあり、表示コントローラ６３は、画像を表示するようにディスプレイを制御する。
【０１０７】
あるいは、ビデオ受信デバイス６０は、ディスプレイを含まないことがあり、ケーブルによって、またはワイヤレスモードで外部ディスプレイに接続されることがある。この事例において、表示コントローラ６３は、外部ディスプレイに制御命令を送信して、外部ディスプレイが、複数の表示ウインドウを表示するようにすることがあり、または表示コントローラ６３は、画像処理を実行し、複数の表示ウインドウを含むピクチャ全体の対応するビデオストリームを生成し、かつ生成されたビデオストリームを、表示するために外部ディスプレイに送信することがある。
【０１０８】
任意選択で、実施形態として、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、画面上にあり、かつミラービデオストリームの表示ウインドウの左上隅のものである座標位置を示すのに使用され、かつ水平サイズおよび垂直サイズは、ミラービデオストリームの表示ウインドウの水平サイズおよび垂直サイズをそれぞれ示すのに使用される。
【０１０９】
しかし、本発明のこの実施形態は、ビデオウインドウ記述情報の特定のコンテンツに全く限定を課さない。例えば、水平オフセットおよび垂直オフセットは、画面上にあり、かつミラービデオストリームの表示ウインドウの別の参照ポイント（右上隅、左下隅、右下隅、または中央ポイントなどの）のものである座標位置を示すのに使用されることもある。別の例に関して、水平オフセットは、画面の左端に対する距離であることがあり、または画面の右端に対する距離であることがあり、垂直オフセットは、画面の上端に対する距離であることがあり、または画面の下端に対する距離であることがある。別の例に関して、水平サイズは、画面の水平サイズ（または別の表示ウインドウの水平サイズ、例えば、前述の第１の表示ウインドウの水平サイズ）に対する長さ値、ピクセルの量、またはパーセンテージとして示されることがあり、垂直サイズは、画面垂直サイズ（または別の表示ウインドウの水平サイズ、例えば、前述の第１の表示ウインドウの垂直サイズ）に対する長さ値、ピクセルの量、またはパーセンテージとして示されることがある。
【０１１０】
ビデオウインドウ記述情報は、水平オフセット、垂直オフセット、水平サイズ、および垂直サイズの４つすべてを必ずしも含むわけではない。例えば、ビデオウインドウ記述情報は、水平オフセットおよび垂直オフセットだけを含むことがある。この事例において、ミラービデオストリームの表示ウインドウのサイズは、デフォルト値または固定値であり得る。別の例に関して、ユーザが、ユーザ端末を使用することによって、ミラー画像のロケーションだけを調整する（例えば、ユーザが、ユーザ端末の画面を指でタッチアンドホールドし、次に、ミラー画像のロケーションを調整するようにミラービデオストリームの表示ウインドウの範囲内で単にドラッグする）場合、ビデオウインドウ記述情報は、水平オフセットおよび垂直オフセットだけを含むことがあるが、水平サイズも垂直サイズも含まないことがある。したがって、ミラービデオストリームの表示ウインドウを調整する際、ビデオ受信デバイスは、表示ウインドウのサイズを変更することなしに、表示ウインドウのロケーションだけを調整する。別の例に関して、ユーザが、ユーザ端末を使用することによって、ミラー画像のサイズだけを調整する（例えば、ユーザが、ミラー画像のサイズを調整するようにミラービデオストリームの表示ウインドウの範囲内で２本の指で画像をピンチアンドストレッチする）場合、ビデオウインドウ記述情報は、水平サイズおよび垂直サイズだけを含むことがあるが、水平オフセットも垂直オフセットも含まないことがある。したがって、二次ピクチャを調整する際、ビデオ受信デバイスは、ミラービデオストリームの表示ウインドウのサイズだけを調整し、ミラービデオストリームの表示ウインドウのロケーションを変更されないままに保ち、例えば、ミラービデオストリームの表示ウインドウの中央ポイント（または別の参照ポイント）を変更されないままに保つ。
【０１１１】
任意選択で、別の実施形態として、ビデオウインドウ記述情報は、層パラメータ、回転の角度パラメータ、アスペクト比パラメータ、透明度パラメータ、コントラスト比パラメータ、または輝度パラメータなどの別のパラメータを含むことがある。ピクチャインピクチャ機能における二次ピクチャがミラービデオストリームの表示ウインドウとして使用される事例が、例として使用される。例えば、複数の二次ピクチャが存在し、複数の二次ピクチャが互いに重なり合うことがある場合、特定の二次ピクチャの層パラメータが、特定の二次ピクチャが別の二次ピクチャによって重なり合うようにされることがあること、または別の二次ピクチャに重なり合うことがあることを示すのに使用される。二次ピクチャの回転の角度パラメータは、ユーザ端末の画面上に表示された画像と二次ピクチャにおいて表示されたミラー画像の間の回転の角度関係を示すことがあり、例えば、ユーザ端末上に表示された画像が、ミラー画像に対して９０度の回転の角度を有することがあり、またはユーザが、ユーザ機器を回転させることによってミラー画像の回転の角度を調整することがある。アスペクト比パラメータ、透明度パラメータ、コントラスト比パラメータ、および輝度パラメータは、二次ピクチャのアスペクト比、透明度、コントラスト比、および輝度をそれぞれ示す。
【０１１２】
特定の実施様態として、ビデオウインドウ記述情報は、Ｍｉｒａｃａｓｔプロトコルにおけるビデオウインドウディスクリプタ（Ｖｉｄｅｏ  Ｗｉｎｄｏｗ  Ｄｅｓｃｒｉｐｔｏｒ）を使用することがある。ビデオウインドウディスクリプタの例は、ビデオウインドウディスクリプタを識別するのに使用される８ビットｄｅｓｃｒｉｐｔｏｒ＿ｔａｇ、ビデオウインドウディスクリプタの長さを示すのに使用される８ビットｄｅｓｃｒｉｐｔｏｒ＿ｌｅｎｇｔｈ、ミラー画像の左上隅の水平オフセットを示すのに使用される１４ビットｈｏｒｉｚｏｎｔａｌ＿ｏｆｆｓｅｔ、ミラー画像の左上隅の垂直オフセットを示すのに使用される１４ビットｖｅｒｔｉｃａｌ＿ｏｆｆｓｅｔ、およびミラー画像の層優先度を示すのに使用され、最高の優先度は、最上の層に常に配置されていることを示す４ビットｗｉｎｄｏｗ＿ｐｒｉｏｒｉｔｙを含むことがある。ビデオウインドウディスクリプタの別の例は、水平サイズおよび垂直サイズを（例えば、６４０×４８０もしくは１２８０×７２０のような解像度の形態で）さらに含むことがあり、あるいは、またはさらに、ビデオウインドウディスクリプタの別の例は、アスペクト比、フレーム周波数、または走査モード（例えば、ｉが、インターレースされた走査を示し、ｐが、順次走査を示す）などの別のパラメータをさらに含むことがある。前述のパラメータは、限定的であるよりはむしろ、例示的であるに過ぎない。本発明のこの実施形態において、ビデオウインドウ記述情報は、Ｍｉｒａｃａｓｔプロトコルにおける既存のビデオウインドウディスクリプタであることがあり、または既存のビデオウインドウディスクリプタを拡張することによって獲得されることがある。当業者は、要件により、適切なパラメータ形態を容易に設計することがあり、すべての変形が、本発明の保護範囲に入るものとする。
【０１１３】
任意選択で、別の実施形態として、表示コントローラ６３は、ビデオウインドウ記述情報により、ピクチャインピクチャ機能における二次ピクチャのロケーションおよびサイズを決定することの前に、ビデオウインドウ記述情報により、ミラービデオストリームが全画面で表示されるかどうかを決定すること、およびミラービデオストリームが全画面で表示されないと決定された場合、少なくとも２つの表示ウインドウにおいて対応するビデオストリームを別々に表示する機能をイネーブルにすること、例えば、ピクチャインピクチャ機能をイネーブルにすることを行うようにさらに構成される。
【０１１４】
任意選択で、別の実施形態として、第１の受信ポート６１は、ユーザ端末によって送信されたミラービデオストリームを受信することがあり、ミラービデオストリームは、ビデオウインドウ記述情報を搬送する。あるいは、第１の受信ポート６１は、ミラービデオストリームに対応し、かつユーザ端末によって送信された制御命令を受信することがあり、制御命令は、ビデオウインドウ記述情報を搬送する。
【０１１５】
したがって、本発明のこの実施形態において、ミラーリング表示サービスが柔軟に実施されることができ、かつユーザ体験が向上させられる。
【０１１６】
図７は、本発明の実施形態によるユーザ端末のブロック図である。図７におけるユーザ端末７０の例が、図１におけるユーザ端末１０１である。図７に示されるとおり、ユーザ端末７０は、コントローラ７１と、送信機７２とを含む。
【０１１７】
コントローラ７１は、ミラービデオストリームのビデオウインドウ記述情報を生成するように構成される。ミラービデオストリームは、ユーザ端末７０の画面上に表示された画像のミラー画像であり、かつビデオウインドウ記述情報は、ミラービデオストリームの第１の表示ウインドウについての情報を示すのに使用される。
【０１１８】
送信機７２は、ＷＬＡＮを使用することによって、ビデオウインドウ記述情報をビデオ受信デバイスに送信して、ビデオ受信デバイスが、ビデオウインドウ記述情報により、第１の表示ウインドウのロケーションおよびサイズを決定するように構成され、第１の表示ウインドウは、ユーザ端末の画面上の少なくとも２つの表示ウインドウのうちの１つであり、かつ少なくとも２つの表示ウインドウは、対応するビデオストリームを別々に表示するように構成される。
【０１１９】
本発明のこの実施形態において、マルチウインドウ表示技術とミラーリング表示技術が組み合わされ、ミラービデオストリームの表示ウインドウのロケーションおよびサイズが、ミラービデオストリームのビデオウインドウ記述情報により決定され、ミラービデオストリームと、別のビデオ源からのビデオストリームが、異なる表示ウインドウ上に別々に表示される。したがって、ミラーリング表示サービスが、柔軟に実施されることができる。
【０１２０】
すなわち、本発明のこの実施形態において、ミラービデオストリームは、マルチウインドウ表示サービスのための１つのビデオ源として使用されて、新たなマルチウインドウ表示サービスを実施するようにすることがある。
【０１２１】
さらに、従来のピクチャインピクチャ機能において、一次ピクチャと二次ピクチャの間の相対関係（ロケーション関係およびサイズ関係などの）は固定であり、外部デバイスによって制御され得ない。二次ピクチャがミラービデオストリームの表示ウインドウとして使用される場合、本発明のこの実施形態におけるユーザ端末は、ビデオウインドウ記述情報により二次ピクチャのロケーションおよびサイズを制御して、その結果、ミラーリングビデオサービスのパフォーマンスを高めること、およびユーザ体験を向上させることができる。
【０１２２】
図７のユーザ端末７０は、図１から図５に示される実施形態におけるユーザ端末と関係する様々な操作または機能を実施することがあり、繰り返しを回避するために、詳細はここで説明されない。
【０１２３】
任意選択で、実施形態として、コントローラ７１は、ＣＰＵまたはＧＰＵなどのプロセッサまたは処理チップによって実施されることがある。送信機７２は、ＷＬＡＮ送信機によって実施されることがある。
【０１２４】
任意選択で、実施形態として、ビデオウインドウ記述情報は、以下のパラメータ、すなわち、水平オフセット、垂直オフセット、水平サイズ、または垂直サイズのうちの少なくとも１つを含み、水平オフセットおよび垂直オフセットは、画面上にあり、かつミラービデオストリームの表示ウインドウの左上隅のものである座標位置を示すのに使用され、かつ水平サイズおよび垂直サイズは、ミラービデオストリームの表示ウインドウの水平サイズおよび垂直サイズをそれぞれ示すのに使用される。
【０１２５】
しかし、本発明のこの実施形態は、ビデオウインドウ記述情報の特定のコンテンツに全く限定を課さない。例えば、水平オフセットおよび垂直オフセットは、画面上にあり、かつミラービデオストリームの表示ウインドウの別の参照ポイント（右上隅、左下隅、右下隅、または中央ポイントなどの）のものである座標位置を示すのに使用されることもある。別の例に関して、水平オフセットは、画面の左端に対する距離であることがあり、または画面の右端に対する距離であることがあり、垂直オフセットは、画面の上端に対する距離であることがあり、または画面の下端に対する距離であることがある。別の例に関して、水平サイズは、画面の水平サイズ（または別の表示ウインドウの水平サイズ、例えば、前述の第１の表示ウインドウの水平サイズ）に対する長さ値、ピクセルの量、またはパーセンテージとして示されることがあり、垂直サイズは、画面垂直サイズ（または別の表示ウインドウの水平サイズ、例えば、前述の第１の表示ウインドウの垂直サイズ）に対する長さ値、ピクセルの量、またはパーセンテージとして示されることがある。
【０１２６】
ビデオウインドウ記述情報は、水平オフセット、垂直オフセット、水平サイズ、および垂直サイズの４つすべてを必ずしも含むわけではない。例えば、ビデオウインドウ記述情報は、水平オフセットおよび垂直オフセットだけを含むことがある。この事例において、ミラービデオストリームの表示ウインドウのサイズは、デフォルト値または固定値であり得る。別の例に関して、ユーザが、ユーザ端末を使用することによって、ミラー画像のロケーションだけを調整する（例えば、ユーザが、ユーザ端末の画面を指でタッチアンドホールドし、次に、ミラー画像のロケーションを調整するようにミラービデオストリームの表示ウインドウの範囲内で単にドラッグする）場合、ビデオウインドウ記述情報は、水平オフセットおよび垂直オフセットだけを含むことがあるが、水平サイズも垂直サイズも含まないことがある。したがって、ミラービデオストリームの表示ウインドウを調整する際、ビデオ受信デバイスは、表示ウインドウのサイズを変更することなしに、表示ウインドウのロケーションだけを調整する。別の例に関して、ユーザが、ユーザ端末を使用することによって、ミラー画像のサイズだけを調整する（例えば、ユーザが、ミラー画像のサイズを調整するようにミラービデオストリームの表示ウインドウの範囲内で２本の指で画像をピンチアンドストレッチする）場合、ビデオウインドウ記述情報は、水平サイズおよび垂直サイズだけを含むことがあるが、水平オフセットも垂直オフセットも含まないことがある。したがって、二次ピクチャを調整する際、ビデオ受信デバイスは、ミラービデオストリームの表示ウインドウのサイズだけを調整し、ミラービデオストリームの表示ウインドウのロケーションを変更されないままに保ち、例えば、ミラービデオストリームの表示ウインドウの中央ポイント（または別の参照ポイント）を変更されないままに保つ。
【０１２７】
任意選択で、別の実施形態として、ビデオウインドウ記述情報は、層パラメータ、回転の角度パラメータ、アスペクト比パラメータ、透明度パラメータ、コントラスト比パラメータ、または輝度パラメータなどの別のパラメータを含むことがある。ピクチャインピクチャ機能における二次ピクチャがミラービデオストリームの表示ウインドウとして使用される事例が、例として使用される。例えば、複数の二次ピクチャが存在し、複数の二次ピクチャが互いに重なり合うことがある場合、特定の二次ピクチャの層パラメータが、特定の二次ピクチャが別の二次ピクチャによって重なり合うようにされることがあること、または別の二次ピクチャに重なり合うことがあることを示すのに使用される。二次ピクチャの回転の角度パラメータは、ユーザ端末の画面上に表示された画像と二次ピクチャにおいて表示されたミラー画像の間の回転の角度関係を示すことがあり、例えば、ユーザ端末上に表示された画像が、ミラー画像に対して９０度の回転の角度を有することがあり、またはユーザが、ユーザ機器を回転させることによってミラー画像の回転の角度を調整することがある。アスペクト比パラメータ、透明度パラメータ、コントラスト比パラメータ、および輝度パラメータは、二次ピクチャのアスペクト比、透明度、コントラスト比、および輝度をそれぞれ示す。
【０１２８】
特定の実施様態として、ビデオウインドウ記述情報は、Ｍｉｒａｃａｓｔプロトコルにおけるビデオウインドウディスクリプタ（Ｖｉｄｅｏ  Ｗｉｎｄｏｗ  Ｄｅｓｃｒｉｐｔｏｒ）を使用することがある。ビデオウインドウディスクリプタの例は、ビデオウインドウディスクリプタを識別するのに使用される８ビットｄｅｓｃｒｉｐｔｏｒ＿ｔａｇ、ビデオウインドウディスクリプタの長さを示すのに使用される８ビットｄｅｓｃｒｉｐｔｏｒ＿ｌｅｎｇｔｈ、ミラー画像の左上隅の水平オフセットを示すのに使用される１４ビットｈｏｒｉｚｏｎｔａｌ＿ｏｆｆｓｅｔ、ミラー画像の左上隅の垂直オフセットを示すのに使用される１４ビットｖｅｒｔｉｃａｌ＿ｏｆｆｓｅｔ、およびミラー画像の層優先度を示すのに使用され、最高の優先度は、最上の層に常に配置されていることを示す４ビットｗｉｎｄｏｗ＿ｐｒｉｏｒｉｔｙを含むことがある。ビデオウインドウディスクリプタの別の例は、水平サイズおよび垂直サイズを（例えば、６４０×４８０もしくは１２８０×７２０のような解像度の形態で）さらに含むことがあり、あるいは、またはさらに、ビデオウインドウディスクリプタの別の例は、アスペクト比、フレーム周波数、または走査モード（例えば、ｉが、インターレースされた走査を示し、ｐが、順次走査を示す）などの別のパラメータをさらに含むことがある。前述のパラメータは、限定的であるよりはむしろ、例示的であるに過ぎない。本発明のこの実施形態において、ビデオウインドウ記述情報は、Ｍｉｒａｃａｓｔプロトコルにおける既存のビデオウインドウディスクリプタであることがあり、または既存のビデオウインドウディスクリプタを拡張することによって獲得されることがある。当業者は、要件により、適切なパラメータ形態を容易に設計することがあり、すべての変形が、本発明の保護範囲に入るものとする。
【０１２９】
任意選択で、別の実施形態として、送信機７２は、ミラービデオストリームをビデオ受信デバイスに送信することがあり、ミラービデオストリームは、ビデオウインドウ記述情報を搬送する。あるいは、送信機７２は、ミラービデオストリームに対応する制御命令をビデオ受信デバイスに送信することがあり、制御命令は、ビデオウインドウ記述情報を搬送する。
【０１３０】
任意選択で、別の実施形態として、送信機７２は、ワイヤレスローカルエリアネットワークを使用することによってミラービデオストリームをビデオ受信デバイスに送信することがある。
【０１３１】
任意選択で、別の実施形態として、ユーザ端末７０は、ユーザから、ユーザ端末７０の画面上に表示された画像の操作入力を受信するように構成された入力デバイス７３をさらに含むことがある。例えば、入力デバイス７３は、タッチスクリーン、キーボード、または別のタイプのデバイスであり得る。コントローラ７２が、操作入力によりビデオウインドウ記述情報を生成することがある。
【０１３２】
したがって、本発明のこの実施形態において、ミラーリング表示サービスが柔軟に実施されることができ、かつユーザ体験が向上させられる。
【０１３３】
さらに、ミラーリング表示サービスがイネーブルにされた後、コントローラ７２は、画像を表示することを停止するようにユーザ端末７０の画面を制御して、省電力化の効果を実現するようにすることがある。確かに、コントローラ７２は、ミラービデオストリームと同一の画像を表示することを継続するように、またはユーザ体験を向上させるのに役に立ちもする、ユーザにリマインドするための「ミラーリング表示サービスがイネーブルにされている」というメッセージ、もしくは制御メニュー、もしくは別のタイプの補助情報などの別の画像を表示するようにユーザ端末７０の画面を制御することがある。
【０１３４】
当業者は、本明細書において開示される実施形態において説明される例と組み合わせて、ユニットおよびアルゴリズムステップが、電子ハードウェア、またはコンピュータソフトウェアと電子ハードウェアの組合せによって実施されることがあることを認識することがある。機能がハードウェアによって実行されるか、またはソフトウェアによって実行されるかは、技術的解決策の特定のアプリケーションおよび設計制約条件に依存する。当業者は、各特定のアプリケーションに関する説明される機能を実施するのに異なる方法を使用することがあるが、実施様態が本発明の範囲を超えると見なされるべきではない。
【０１３５】
便利かつ簡単な説明の目的で、前述のシステム、装置、およびユニットの詳細な動作プロセスに関して、前述の方法実施形態における対応するプロセスが参照されることがあり、詳細がここで説明されないことが当業者によって明確に理解されることがある。
【０１３６】
本出願において提供されるいくつかの実施形態において、開示されるシステム、装置、および方法は、他の様態で実施されることがあることを理解されたい。例えば、説明される装置実施形態は、例示的であるに過ぎない。例えば、ユニット分割は、論理的機能分割であるに過ぎず、実際の実施において他の分割であることがある。例えば、複数のユニットまたは構成要素が、組み合わされること、もしくは別のシステムに組み込まれることがあり、またはいくつかの特徴が、無視されること、もしくは実行されないことがある。さらに、表示される、もしくは説明される相互の結合もしくは直接の結合または通信接続は、いくつかのインターフェースを使用することによって実施されることがある。装置もしくはユニットの間の間接の結合もしくは通信接続は、電子形態、機械形態、または他の形態で実施されることがある。
【０１３７】
別々の部分として説明されるユニットは、物理的に別々であることがあり、またはそうでないことがあり、ユニットとして表示される部分は、物理的ユニットであることがあり、またはそうでないことがあり、１つの位置に位置付けられることがあり、または複数のネットワークユニット上に分散されることがある。ユニットのうちのいくつか、またはすべてが、実施形態のソリューションの目的を実現する実際の必要性により選択されることがある。
【０１３８】
さらに、本発明の実施形態における機能ユニットは、１つの処理ユニットに組み込まれることがあり、またはユニットのそれぞれが、物理的に単独で存在することがあり、または２つもしくはそれより多くのユニットが、１つのユニットに組み込まれる。
【０１３９】
機能がソフトウェア機能ユニットの形態で実施され、かつ独立した製品として販売される、もしくは使用される場合、機能は、コンピュータ可読記憶媒体に記憶されることがある。そのような理解に基づいて、本発明の技術的解決策は、本質的に、または従来技術に貢献する部分は、または技術的解決策のうちのいくつかは、ソフトウェア製品の形態で実施されることがある。ソフトウェア製品は、記憶媒体に記憶され、本発明の実施形態において説明される方法のステップのうちのすべて、またはいくつかを実行するようコンピュータデバイス（パーソナルコンピュータ、サーバ、またはネットワークデバイスであり得る）に命令するためのいくつかの命令を含む。前述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどのプログラムコードを記憶することができる任意の媒体を含む。
【０１４０】
前述の説明は、本発明の特定の実施様態に過ぎず、本発明の保護範囲を限定すると意図されるものではない。本発明において開示される技術的範囲内で当業者によって容易に考え出される任意の変形または置換形態が、本発明の保護範囲に入るものとする。したがって、本発明の保護範囲は、特許請求の範囲の保護に従うものとする。
【図１】
2018503281.tif 000003
【図２】
2018503281.tif 000004
【図３】
2018503281.tif 000005
【図４】
2018503281.tif 000006
【図５】
2018503281.tif 000007
【図６】
2018503281.tif 000008
【図７】
2018503281.tif 000009
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
ミラービデオストリームのものであり、かつワイヤレスローカルエリアネットワークを使用することによってユーザ端末によって送信されたビデオウインドウ記述情報を受信することであって、前記ミラービデオストリームは、前記ユーザ端末の画面上に表示された画像のミラー画像であり、かつ前記ビデオウインドウ記述情報は、前記ミラービデオストリームの第１の表示ウインドウについての情報である、受信することと、
前記ビデオウインドウ記述情報により、前記第１の表示ウインドウのロケーションおよびサイズを決定することであって、前記第１の表示ウインドウは、前記ユーザ端末の前記画面上の少なくとも２つの表示ウインドウのうちの１つであり、前記少なくとも２つの表示ウインドウは、対応するビデオストリームを別々に表示するように構成され、かつ前記少なくとも２つの表示ウインドウは、少なくとも前記第１の表示ウインドウと、第２の表示ウインドウとを備える、決定することと、
前記第１の表示ウインドウにおいて前記ミラービデオストリームを表示し、かつ前記第２の表示ウインドウにおいて別のビデオ源からのビデオストリームを表示することであって、前記別のビデオ源は、前記ユーザ端末とは異なる、表示することと
を備えることを特徴とする画像表示方法。
【請求項２】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項１に記載の画像表示方法。
【請求項３】
前記ビデオウインドウ記述情報により、前記第１の表示ウインドウのロケーションおよびサイズを前記決定することの前に、
前記ビデオウインドウ記述情報により、前記ミラービデオストリームが全画面で表示されるかどうかを決定することと、
前記ミラービデオストリームが全画面で表示されないと決定された場合、前記少なくとも２つの表示ウインドウにおいて前記対応するビデオストリームを別々に表示する機能をイネーブルにすることと
をさらに備えることを特徴とする請求項１または２に記載の画像表示方法。
【請求項４】
ミラービデオストリームのものであり、かつワイヤレスローカルエリアネットワークを使用することによってユーザ端末によって送信されたビデオウインドウ記述情報を前記受信することは、
前記ワイヤレスローカルエリアネットワークを使用することによって前記ユーザ端末によって送信された前記ミラービデオストリームを受信することであって、前記ミラービデオストリームは、前記ビデオウインドウ記述情報を搬送する、受信すること、または
前記ミラービデオストリームに対応し、かつ前記ワイヤレスローカルエリアネットワークを使用することによって前記ユーザ端末によって送信された制御命令を受信することであって、前記制御命令は、前記ビデオウインドウ記述情報を搬送する、受信することを備えることを特徴とする請求項１乃至３のいずれか一項に記載の画像表示方法。
【請求項５】
ミラービデオストリームのビデオウインドウ記述情報を生成することであって、前記ミラービデオストリームは、ユーザ端末の画面上に表示された画像のミラー画像であり、かつ前記ビデオウインドウ記述情報は、前記ミラービデオストリームの第１の表示ウインドウについての情報を示すのに使用される、生成することと、
ワイヤレスローカルエリアネットワークを使用することによって、前記ビデオウインドウ記述情報をビデオ受信デバイスに送信して、前記ビデオ受信デバイスが、前記ビデオウインドウ記述情報により、前記第１の表示ウインドウのロケーションおよびサイズを決定するようにすることであって、前記第１の表示ウインドウは、前記ユーザ端末の前記画面上の少なくとも２つの表示ウインドウのうちの１つであり、かつ前記少なくとも２つの表示ウインドウは、対応するビデオストリームを別々に表示するように構成される、送信することと
を備えることを特徴とする画像表示方法。
【請求項６】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項５に記載の画像表示方法。
【請求項７】
ワイヤレスローカルエリアネットワークを使用することによって、前記ビデオウインドウ記述情報をビデオ受信デバイスに前記送信することは、
前記ワイヤレスローカルエリアネットワークを使用することによって、前記ミラービデオストリームを前記ビデオ受信デバイスに送信することであって、前記ミラービデオストリームは、前記ビデオウインドウ記述情報を搬送する、送信すること、または
前記ワイヤレスローカルエリアネットワークを使用することによって、前記ミラービデオストリームに対応する制御命令を前記ビデオ受信デバイスに送信することであって、前記制御命令は、前記ビデオウインドウ記述情報を搬送する、送信することを備えることを特徴とする請求項５または６に記載の画像表示方法。
【請求項８】
ミラービデオストリームのビデオウインドウ記述情報を前記生成することは、
ユーザから、前記ユーザ端末の前記画面上に表示された前記画像の操作入力を受信することと、
前記操作入力により前記ビデオウインドウ記述情報を生成することと
を備えることを特徴とする請求項５乃至７のいずれか一項に記載の画像表示方法。
【請求項９】
ミラービデオストリームのものであり、かつワイヤレスローカルエリアネットワークを使用することによってユーザ端末によって送信されたビデオウインドウ記述情報を受信するように構成された第１の受信ポートであって、前記ミラービデオストリームは、前記ユーザ端末の画面上に表示された画像のミラー画像であり、かつ前記ビデオウインドウ記述情報は、前記ミラービデオストリームの第１の表示ウインドウについての情報を示すのに使用される、第１の受信ポートと、
別のビデオ源からビデオストリームを受信するように構成された第２の受信ポートであって、前記別のビデオ源は、前記ユーザ端末とは異なる、第２の受信ポートと、
前記ビデオウインドウ記述情報により、前記第１の表示ウインドウのロケーションおよびサイズを決定するように構成された表示コントローラであって、前記第１の表示ウインドウは、前記ユーザ端末の前記画面上の少なくとも２つの表示ウインドウのうちの１つであり、前記少なくとも２つの表示ウインドウは、対応するビデオストリームを別々に表示するように構成され、かつ前記少なくとも２つの表示ウインドウは、少なくとも前記第１の表示ウインドウと、第２の表示ウインドウとを備える、表示コントローラと
を備えるビデオ受信デバイスであって、
前記表示コントローラは、前記ミラービデオストリームを表示するように前記第１の表示ウインドウを制御し、かつ前記別のビデオ源からの前記ビデオストリームを表示するように前記第２の表示ウインドウを制御するようにさらに構成されることを特徴とするビデオ受信デバイス。
【請求項１０】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項９に記載のビデオ受信デバイス。
【請求項１１】
前記表示コントローラは、前記ビデオウインドウ記述情報により、前記第１の表示ウインドウのロケーションおよびサイズを決定することの前に、前記ビデオウインドウ記述情報により、前記ミラービデオストリームが全画面で表示されるかどうかを決定すること、および前記ミラービデオストリームが全画面で表示されないと決定された場合、前記少なくとも２つの表示ウインドウにおいて前記対応するビデオストリームを別々に表示する機能をイネーブルにすることを行うようにさらに構成されることを特徴とする請求項９または１０に記載のビデオ受信デバイス。
【請求項１２】
前記第１の受信ポートは、前記ユーザ端末によって送信された前記ミラービデオストリームを受信するように特に構成され、前記ミラービデオストリームは、前記ビデオウインドウ記述情報を搬送する、または
前記第１の受信ポートは、前記ミラービデオストリームに対応し、かつ前記ユーザ端末によって送信された制御命令を受信するように特に構成され、前記制御命令は、前記ビデオウインドウ記述情報を搬送することを特徴とする請求項９乃至１１のいずれか一項に記載のビデオ受信デバイス。
【請求項１３】
ミラービデオストリームのビデオウインドウ記述情報を生成するように構成されたコントローラであって、前記ミラービデオストリームは、ユーザ端末の画面上に表示された画像のミラー画像であり、かつ前記ビデオウインドウ記述情報は、前記ミラービデオストリームの第１の表示ウインドウについての情報を示すのに使用される、コントローラと、
ワイヤレスローカルエリアネットワークを使用することによって、前記ビデオウインドウ記述情報をビデオ受信デバイスに送信して、前記ビデオ受信デバイスが、前記ビデオウインドウ記述情報により、前記第１の表示ウインドウのロケーションおよびサイズを決定するように構成された送信機であって、前記第１の表示ウインドウは、前記ユーザ端末の前記画面上の少なくとも２つの表示ウインドウのうちの１つであり、かつ前記少なくとも２つの表示ウインドウは、対応するビデオストリームを別々に表示するように構成される、送信機と
を備えることを特徴とするユーザ端末。
【請求項１４】
前記ビデオウインドウ記述情報は、以下のパラメータ、すなわち、水平オフセット、垂直オフセット、水平サイズ、または垂直サイズのうちの少なくとも１つを備え、
前記水平オフセットおよび前記垂直オフセットは、前記第１の表示ウインドウの左上隅の座標位置を示すのに使用され、かつ前記水平サイズおよび前記垂直サイズは、前記第１の表示ウインドウの水平サイズおよび垂直サイズをそれぞれ示すのに使用されることを特徴とする請求項１３に記載のユーザ端末。
【請求項１５】
前記送信機は、前記ミラービデオストリームを前記ビデオ受信デバイスに送信するように特に構成され、前記ミラービデオストリームは、前記ビデオウインドウ記述情報を搬送する、または
前記送信機は、前記ミラービデオストリームに対応する制御命令を前記ビデオ受信デバイスに送信するように特に構成され、前記制御命令は、前記ビデオウインドウ記述情報を搬送することを特徴とする請求項１３または１４に記載のユーザ端末。
【請求項１６】
ユーザから、前記ユーザ端末の前記画面上に表示された前記画像の操作入力を受信するように構成された入力デバイスをさらに備え、
前記コントローラは、前記操作入力により前記ビデオウインドウ記述情報を生成するように特に構成されることを特徴とする請求項１３乃至１５のいずれか一項に記載のユーザ端末。
【国際調査報告】
2018503281.tif 000010
2018503281.tif 000011
2018503281.tif 000012
2018503281.tif 000013